(57)【要約】【課題】本発明は、意匠性を高めると共に、転倒時に水や湯が零れ難い構造を有する電気湯沸かし器を提供する。【解決手段】本発明に係る電気湯沸かし器１０は、注ぎ口２１を有する容器本体２０と、容器本体２０における注ぎ口２１と対向する周縁に装着された取っ手２２と、を備える電気湯沸かし器であって、容器本体２０は、下方が膨らんだ膨出部３１、中央より上部が膨出部３１より凹んだ括れ部３２、上縁側が括れ部３２より拡径した上縁拡径部３３を有しており、取っ手２２は、括れ部３２に付け根２４が形成されている。【選択図】図２
2020192087.tif 000002
【特許請求の範囲】
【請求項１】
注ぎ口を有する容器本体と、前記容器本体における前記注ぎ口と対向する周縁に装着された取っ手と、を備える電気湯沸かし器であって、
前記容器本体は、下方が膨らんだ膨出部、中央より上部が前記膨出部より凹んだ括れ部、上縁側が前記括れ部より拡径した上縁拡径部を有しており、
前記取っ手は、前記括れ部に付け根が形成されている、
電気湯沸かし器。
【請求項２】
前記取っ手の前記付け根は、前記膨出部の最大径部分及び前記上縁拡径部の最大径部分よりも内側に位置している、
請求項１に記載の電気湯沸かし器。
【請求項３】
前記取っ手は、掴んだときに指が掛かるグリップ部が前記膨出部の最大径部分よりも内側に位置している、
請求項１又は請求項２に記載の電気湯沸かし器。
【請求項４】
前記容器本体は、外装カバーと、前記外装カバーの内側に嵌められ、水を入れる内容器と、を備え、
前記膨出部、前記括れ部、及び、前記上縁拡径部は、前記外装カバーに設けられ、
前記外装カバーは、前記括れ部の内周側に突起が形成されており、
前記内容器は、前記外装カバーの前記括れ部に相当する位置に突起が形成されており、
前記外装カバーの前記突起は、前記内容器の前記突起に載っている、
請求項１乃至請求項３の何れかに記載の電気湯沸かし器。
【発明の詳細な説明】
【技術分野】
【０００１】
本発明は、電気ケトルなどの水を加熱し沸騰させる電気湯沸かし器に関するものであり、より具体的には、意匠性を高めると共に、転倒時に水や湯が零れ難い構造を有する電気湯沸かし器に関するものである。
【背景技術】
【０００２】
電気ケトルでは、加熱手段を具えた容器本体を電源台に載置し、電源台から容器本体に給電を行ない、加熱手段に通電している（たとえば特許文献１参照）。
【０００３】
電気ケトルは、水が注入される容器本体の上縁に蓋体及び注ぎ口を有し、注ぎ口と対向する周縁に取っ手が配置されている。
【先行技術文献】
【特許文献】
【０００４】
【特許文献１】特許第６２６５２２５号公報
【発明の概要】
【発明が解決しようとする課題】
【０００５】
電気ケトルでは、転倒時に水や湯が零れてしまう所謂流水対策として、注ぎ口が満水位の高さよりも高くなるように設計されている。このため、電気ケトル自体をコンパクトに設計しようとしても、転倒時の注ぎ口の位置と満水位の関係から意匠寸法を大きく変更することが難しく、意匠の自由度が少なかった。
【０００６】
また、意匠性を高めるために、電気ケトルに括れ部を有する構成が望まれるが、括れ部を形成すると水を入れられる容積が小さくなってしまい、容量確保のために全高を大きくせざるを得ない。
【０００７】
本発明の目的は、意匠性を高めると共に、転倒時に水や湯が零れ難い構造を有する電気湯沸かし器を提供することである。
【課題を解決するための手段】
【０００８】
本発明の電気湯沸かし器は、
注ぎ口を有する容器本体と、前記容器本体における前記注ぎ口と対向する周縁に装着された取っ手と、を備える電気湯沸かし器であって、
前記容器本体は、下方が膨らんだ膨出部、中央より上部が前記膨出部より凹んだ括れ部、上縁側が前記括れ部より拡径した上縁拡径部を有しており、
前記取っ手は、前記括れ部に付け根が形成されている。
【０００９】
前記取っ手の前記付け根は、前記膨出部の最大径部分及び前記上縁拡径部の最大径部分よりも内側に位置していることが望ましい。
【００１０】
前記取っ手は、掴んだときに指が掛かるグリップ部が前記膨出部の最大径部分よりも内側に位置していることが望ましい。
【００１１】
前記容器本体は、外装カバーと、前記外装カバーの内側に嵌められ、水を入れる内容器と、を備え、
前記膨出部、前記括れ部、及び、前記上縁拡径部は、前記外装カバーに設けられ、
前記外装カバーは、前記括れ部の内周側に突起が形成されており、
前記内容器は、前記外装カバーの前記括れ部に相当する位置に突起が形成されており、
前記外装カバーの前記突起は、前記内容器の前記突起に載っていることが望ましい。
【発明の効果】
【００１２】
本発明の電気湯沸かし器によれば、前記容器本体は、下方の膨出部、上縁側の上縁拡径部の間に括れ部を有しており、当該括れ部に取っ手の付け根を形成している。すなわち、取っ手の付け根は、電気湯沸かし器の重心近くに形成されるから、持ち運びの際に電気湯沸かし器を安定させることができる。また、括れ部を形成する一方で、下方に膨出部を形成しているから、括れ部による容量低下を膨出部で補充することができ、電気湯沸かし器の全高を高くすることなく、所望の容量を確保することができる。
【００１３】
また、本発明の電気湯沸かし器によれば、上縁を拡径させていることで、転倒時に注ぎ口の位置を高くすることができ、満水位が注ぎ口よりも下がるため、転倒流水性能を可及的に改善できる。
【図面の簡単な説明】
【００１４】
【図１】図１は、電気ケトルの斜視図である。
【図２】図２は、電気ケトルの右側面図である。
【図３】図３は、電気ケトルの正面図である。
【図４】図４は、図２の線Ａ−Ａに沿う断面図である。
【図５】図５は、図２の線Ｂ−Ｂに沿う断面図である。
【図６】図６は、図２の線Ｃ−Ｃに沿う容器本体の断面図である。
【図７】図７は、電気ケトルの内部構成を示す斜視断面図である。
【図８】図８は、図３の線Ｄ−Ｄに沿う断面図である。
【図９】図９は、図２の線Ｅ−Ｅに沿う断面図である。
【図１０】図１０は、図２の線Ｆ−Ｆに沿う断面図である。
【図１１】図１１は、図２の線Ｇ−Ｇに沿う断面図である
【図１２】図１２は、蓋体の斜視図である。
【図１３】図１３は、蓋体の背面図である。
【図１４】図１４は、図１２の線Ｈ−Ｈに沿う断面図である。
【図１５】図１５は、図１２の線Ｉ−Ｉに沿う断面図である。
【図１６】図１６は、図１３の線Ｊ−Ｊに沿う断面図である。
【図１７】図１７は、図１４の丸囲み部Ｌの拡大図である。
【図１８】図１８は、容器本体を転倒させた状態を示す斜視図である。
【図１９】図１９は、容器本体を転倒させた状態を示す斜視図であって、取っ手側から見た斜視図である。
【発明を実施するための形態】
【００１５】
図面を参照しながら本発明の電気湯沸かし器について説明を行なう。なお、以下では、電気湯沸かし器としてヤカン型の電気ケトル１０を例示して説明を行なうが、電気湯沸かし器は、電気ケトル１０に限らず、ポットやコーヒーメーカーなどの家電製品などであってもよい。また、説明する電気ケトル１０は、容器本体２０を電源台１１０に載置可能な構成としているが、電源台１１０は電気湯沸かし器と一体に構成されているものであってもよいことは勿論である。
【００１６】
概略構成として、電気ケトル１０は、図１乃至図３に示すように、ヤカン型の容器本体２０と容器本体２０に装着される蓋体５０、容器本体２０が載置される電源台１１０を具える。
【００１７】
容器本体２０は、注ぎ口２１を有する。容器本体２０は、図４乃至図８に示すように、外装カバー３０と、外装カバー３０の内側に水を入れる内容器４０を嵌めた二重構造を採用できる。なお、容器本体２０は、二重構造ではなく、一重構造を採用してもよい。外装カバー３０及び内容器４０には、図８に示すように、上縁前方に内容器４０内から連続する注ぎ口２１が外向きに膨らんで形成されている。また、容器本体２０における外装カバー３０には、注ぎ口２１と対向する背面側に取っ手２２が設けられている。取っ手２２には、後述するスイッチ２３や蒸気検知機構７０の一部が配置されている。
【００１８】
外装カバー３０の外観形状は、図４乃至図８、さらには、図９乃至図１１に示すように、下方が丸みを帯びて膨らんだ膨出部３１、中央よりやや上部が丸みを帯びて凹んだ括れ部３２、上縁側が再度拡径した上縁拡径部３３を有する形状とすることができる。図示の実施形態では、膨出部３１が最も直径が大きく、続いて上縁拡径部３３の直径が大きくなっている。
【００１９】
取っ手２２は、括れ部３２から延出して形成している。すなわち、図２に示すように、取っ手２２は、膨出部３１の最大径部分と上縁拡径部３３の最大径となる上縁部分とを結んだ線Ｐよりも内側に取っ手２２の延出する付け根２４が位置するように形成している。また、取っ手２２は、膨出部３１の最大径部分の垂線Ｑ及び上縁拡径部３３の最大径部分の垂線Ｒよりも内側に付け根２４が位置するように形成している。より望ましくは、取っ手２２をユーザーが掴んだときに指１２０が掛かるグリップ部２２ａを膨出部３１の最大径部分の垂線Ｑ及び上縁拡径部３３の最大径部分の垂線Ｒよりも内側に設ける。これにより、取っ手２２、すなわち、グリップ部２２ａを掴んだときに、ユーザーの指１２０は膨出部３１の最大径部分よりも内側に位置することになり、容器本体２０の重心近くに位置し、持ち運びの際に容器本体２０を安定させることができる。なお、スイッチ２３は取っ手２２の肩部に形成している。
【００２０】
内容器４０は、断面図４乃至図８に示すように、括れ部３２よりも下側において、容器本体２０の外郭に沿う内面形状を有している。すなわち、膨出部３１に相当する部分で膨出部３１に沿って膨出した形状であるから、括れ部３２に相当する部分で径が細くなっていても、電気ケトル１０の全高を高くすることなく、所望の容量を確保することができる。内容器４０の底面にはステンレス製の底板４１が配置されている。底板４１の下方にはヒーターなどの加熱手段４２が配置されている。容器本体２０の底面の中央には、受電端子４４を有する受電部４３が凹設されている。
【００２１】
また、内容器４０は、括れ部３２に相当する高さに内向きにフランジ４５が突設されており、蓋体５０のシールパッキン５３が当接可能となっている。フランジ４５は、前後方向に対称な形状ではなく、図８に示すように、後方側は前方側に比べて突出量を大きくしている。これは、容器本体２０が転倒したときに湯が零れ難い構造とするためであり、その詳細は後述する。
【００２２】
内容器４０は、図６に示すように、括れ部３２の外周側に突起４６が突設されている。また、外装カバー３０にも括れ部３２の内周側に突起３４が突設されている。そして、内容器４０の突起４６の上に外装カバー３０の突起３４が載ることで、括れ形状の外装カバー３０を安定して内容器４０と一体化している。また、外装カバー３０は、括れ部３２に突起３４を形成する構成としたことで、括れ部３２の裏面に金型のパーティングラインをもってくることができ、金型構造の簡略化を図ることができる。
【００２３】
内容器４０は、図７乃至図９に示すように、上記したフランジ４５よりも高い位置であって、取っ手２２の付け根２４が重なる位置に、蒸気検知機構７０が配置されている。蒸気検知機構７０は、内容器４０に開設された蒸気入口７１及び蒸気入口７１の上側に開設された蒸気出口７２を有し、内容器４０の外側で蒸気入口７１と蒸気出口７２を蒸気通路７３で繋いで構成される。蒸気通路７３には、バイメタルスイッチなどの蒸気検知手段７４を具え、内容器４０内の水が沸騰すると、蒸気入口７１から蒸気通路７３に蒸気が侵入し、バイメタルスイッチと連動してスイッチ２３をオフに切り替えるようにしている。
【００２４】
図示の蒸気入口７１及び蒸気出口７２は、外周を囲うように蒸気孔シール７５が装着されており、後述する蓋体５０の蓋体本体５１に設けられた蓋体側蒸気入口８２と蓋体側蒸気入口８２に蒸気孔シール７５が密着することで連通可能としている。
【００２５】
本実施形態では、括れ部３２のフランジ４５は、上記したとおり、後方側の突出量を大きくしている。そして、図８に示すように、後方側のフランジ４５の上部空間に内向きに突出して蒸気検知機構７０を配置するようにしている。これにより、断面積の小さい括れ部３２であっても括れ部３２や取っ手２２の付け根２４を太くすることなく、蒸気検知機構７０を配置でき、図１等に示すように、外装カバー３０や取っ手２２のデザインを損なうこともない。
【００２６】
上記構成の容器本体２０は、上縁拡径部３３に蓋体５０が装着される。蓋体５０は、図示の実施形態では、容器本体２０に着脱可能であるが、ヒンジ等により開閉可能な構成とすることもできる。
【００２７】
蓋体５０は、上方が拡径した周壁５２を有する蓋体本体５１と、蓋体カバー５４を具え、内容器４０の上縁拡径部３３に着脱可能に嵌まる。蓋体本体５１は、周壁５２の下縁に環状にシールパッキン５３が装着されており、蓋体５０を内容器４０の上縁拡径部３３に挿入した状態で、シールパッキン５３は、内容器４０の内面とフランジ４５に当接し、内容器４０を液密に維持する。
【００２８】
蓋体カバー５４は、蓋体本体５１の上面を覆っており、図４、図５、図１２乃至図１５に示すように、内容器４０の係合受部４７に係合可能な係合爪５５を先端に具えるレバー５６，５６が左右方向に対向して配置されている。レバー５６，５６は、バネ５７，５７により外向きに付勢されており、係合爪５５は周壁５２を貫通して突出し、係合受部４７に係合した状態から、レバー５６，５６をバネ５７，５７の付勢力に抗して中央側に接近させることで、係合爪５５，５５が後退して係合受部４７から外れ、蓋体５０を取り外し可能となっている。
【００２９】
また、レバー５６，５６間には、図１２、図１５及び図１６に示すように、蓋ボタン６０が配置されている。蓋ボタン６０は、弁板６２を具える中子６１に連繋されている。蓋ボタン６０は、バネ６３により上向きに付勢されており、押下されることで下方に移動して停止し、再度押下されることで上方に移動する構成を具備している。
【００３０】
蓋体本体５１には、図１６に示すように、下面側のやや前寄りに短円筒状の注湯空間９１が円環状の通路壁９２により区画されている。注湯空間９１は、斜め上方に注湯路９３が形成されており、注湯路９３は、注ぎ口２１にて開口している。注湯空間９１と注湯路９３により注湯通路９０が構成される。
【００３１】
注湯空間９１の上面は、図１４乃至図１６に示すように、水平壁９４が形成されており、水平壁９４の上部には、蒸気室カバー８０で塞がれた蒸気室８１が形成されている。蒸気室８１は、内容器４０からの蒸気が流入し、結露する。蒸気室８１は、注湯空間９１と連通する排水孔８４が形成されており、結露により生じた水は、排水孔８４を通じて排出可能となっている。具体的には、排水孔８４は、注湯空間９１の通路壁９２の内側に形成されており、排水孔８４は、下向きに凸の立壁８６を具える孔壁８５により区画されている。
【００３２】
蒸気室８１は、注湯路９３とは逆側の後方側の周壁５２に蒸気室入口８３が形成されている。蒸気室入口８３は、内容器４０の蒸気出口７２と連通する大きさ、形状である。また、蒸気室入口８３の直下には、内容器４０の蒸気入口７１と連通する大きさ、形状の蓋体側蒸気入口８２が形成されている。
【００３３】
然して、内容器４０内で発生した蒸気は、蓋体側蒸気入口８２から蒸気入口７１を通って蒸気通路７３に侵入し、蒸気検知手段７４を作動させて、蒸気出口７２から蓋体５０の蒸気室入口８３を通過し、蒸気室８１に侵入する。蒸気室８１に侵入した蒸気は、蒸気室８１内で結露し、排水孔８４側に流れる。
【００３４】
注湯空間９１及び排水孔８４は、図１４乃至図１６に示すように、中子６１に装着されたシール部１００により塞がれる。中子６１は、注湯空間９１の内径と略同じ外径を有する円盤状の弁板６２と、弁板６２から上向きに突設された弁棒６４を具える。弁棒６４の上端は、水平壁９４及び蒸気室カバー８０を貫通して上向きに延びており、上端が蓋ボタン６０にネジ止め６６されている。
【００３５】
なお、本実施形態では、注湯空間９１を蓋体本体５１のやや前方寄りに設けているから、弁板６２の中心から弁棒６４を突設すると、弁棒６４が前方寄りに位置してしまう。その結果、蓋ボタン６０も蓋体カバー５４の前方寄りの位置に設ける必要があり、レバー５６，５６の配置との関係でデザイン上好ましくない。このため、弁棒６４は、弁板６２のやや後方寄り、すなわち、蓋体カバー５４の中心に突設している。弁棒６４を弁板６２の中心からズレた位置に配置しているから、弁棒６４を上下動させたときに、弁板６２が傾き、平行にスライドできない虞がある。そこで、本実施形態では、弁棒６４の前方に弁棒６４と平行にガイド棒６５を立設している。また、ガイド棒６５は、水平壁９４に上向きに凹設されたガイド孔６７にスライド可能に嵌まっている。
【００３６】
シール部１００は、図１４乃至図１６に示すように、弁板６２の外周に嵌まる円環状のパッキンである。シール部１００は、環状のシール本体１０１とシール本体１０１の外周側に形成された栓シール１０３及びシール本体１０１の内周に突設された排水孔シール１０４を具える。シール本体１０１は、内周側に溝１０２が形成されており、溝１０２を弁板６２の外周に嵌めることで弁板６２に装着される。また、シール本体１０１は、外周側が通路壁９２の内周側に当接可能となっている。シール部１００は、内容器４０と注湯通路９０を液密に遮断し、また、内容器４０と蒸気室８１とを液密に遮断する重要な部材である。
【００３７】
排水孔シール１０４は、排水孔８４の位置に合わせて、シール本体１０１の内側に出っ張って形成されている。排水孔８４には、図１４の丸囲み部Ｌの拡大図１７に示すように、孔壁８５に下向きに凸の立壁８６が形成されており、排水孔シール１０４は、密着状態において立壁８６が排水孔シール１０４に埋没するよう変形する。これにより排水孔シール１０４のシール性を可及的に高めることができ、蓋ボタン６０を押下操作しない限り、蒸気室８１の排水孔８４は注湯空間９１や内容器４０とは連通しない構成としている。これにより、容器本体２０を転倒させたときに、内容器４０から排水孔８４を通って水又は湯が逆流し、外部に零れないようにすることができる。
【００３８】
次に、容器本体２０と電源台１１０との電気的な接続について説明する。図４等に示すように、容器本体２０には、上記の通り、底面の中央に受電端子４４を有する受電部４３が凹設されている。一方、電源台１１０は、皿状の載置面１１１の略中央に、受電部４３の受電端子４４と電気的に接続可能な給電端子１１３を具える給電部１１２が突設されている。そして、電源台１１０に容器本体２０を載置した際に、受電部４３に給電部１１２が嵌まり、受電端子４４と給電端子１１３が電気的に接続される。給電端子１１３は、図示しない電源コードを介して商用電源に接続される。
【００３９】
上記構成の電気ケトル１０は、蓋体５０のレバー５６，５６を摘まんで接近させ、蓋体５０を取り外し、内容器４０内に水を注入する。
【００４０】
続いて、蓋体５０は、上縁拡径部３３に押し下げて装着する。このとき、蓋体５０は図１４乃至図１６に示すように、蓋ボタン６０を上昇位置に移動させておき、シール部１００は、押し上げられた弁板６２により栓シール１０３とシール本体１０１が通路壁９２に密着し、排水孔シール１０４が排水孔８４を塞いだ状態としておく。排水孔シール１０４は、排水孔８４の立壁８６が埋没して良好な密着状態を維持する。
【００４１】
この状態で、電源台１１０は、電源コードを商用電源に接続し、電源台１１０に容器本体２０を載置する。続いて、取っ手２２のスイッチ２３を押下する。これにより、給電端子１１３から受電端子４４を介して加熱手段４２に電源が供給されて、加熱手段４２が水を加熱し沸騰させる。
【００４２】
水が沸騰すると、内容器４０内に蒸気が発生する。内容器４０は、シールパッキン５３及び弁板６２のシール部１００により気密状態が維持されているから、発生した蒸気は、図８に矢印Ｖで示すように、蓋体５０の周壁５２に形成された蓋体側蒸気入口８２から蒸気入口７１を通って蒸気通路７３に侵入する。蒸気通路７３には、蒸気検知手段７４が配置されているから、蒸気が蒸気検知手段７４を作動させてスイッチ２３を押し上げてオフにする。これにより、加熱手段４２による加熱が止まる。
【００４３】
また、蒸気通路７３に流入した蒸気は、蒸気出口７２から蓋体５０の蒸気室入口８３を通過し、蒸気室８１に侵入する。そして、蒸気室８１に侵入した蒸気は、蒸気室８１内で結露し、排水孔８４側に流れて溜まる。
【００４４】
そして、ユーザーは、取っ手２２を掴んで容器本体２０を持ち上げる。取っ手２２は、括れ部３２から延出しており、取っ手２２をユーザーが掴んだときに指１２０が掛かるグリップ部２２ａは、図２に示すように、膨出部３１の最大径部分の垂線Ｑ及び上縁拡径部３３の最大径部分の垂線Ｒよりも内側に設けているから、取っ手２２、すなわち、グリップ部２２ａを掴んだときに、ユーザーの指１２０は膨出部３１の最大径部分よりも内側に位置することになり、容器本体２０の重心近くに位置し、持ち運びの際に容器本体２０を安定させることができる。この状態で、蓋体５０の蓋ボタン６０を押下することで、弁板６２及びシール部１００が降下し、注湯空間９１及び排水孔８４が開放する。このとき、蒸気室８１、すなわち、排水孔８４に溜まっている結露水は、排水孔８４から落下して内容器４０に戻る。また、この状態で、容器本体２０を前方に傾けることで、内容器４０の湯は、注湯空間９１に連通する注湯路９３を通って注ぎ口２１から放出される。
【００４５】
注湯が終わると、蓋ボタン６０を押下すると、バネ６３の付勢力により弁板６２及びシール部１００が上昇し、注湯空間９１及び排水孔８４を塞ぐ。そして、容器本体２０を電源台１１０に戻せばよい。
【００４６】
一方、水や湯が内容器４０に入っている状態で、誤って容器本体２０を転倒させてしまうことがある。本発明の実施形態による容器本体２０は、上記のとおり、排水孔８４は排水孔シール１０４によりシールされている。従って、万一容器本体２０を転倒させてしまい、蒸気入口８２，７１から蒸気通路７３、蒸気出口７２、蒸気室入口８３を通って蒸気室８１に水や湯が流れ込んでも外部に流れ出ることはなく、また、内容器４０の水や湯が排水孔８４を通じて外部に零れ出ることもないから、転倒流水性能を可及的に改善できる。さらに、注湯通路９０である注湯空間９１は、栓シール１０３及びシール本体１０１によりシールされているから、シール性は確保され、内容器４０から注湯路９３に水や湯が流れ出ることはない。
【００４７】
さらに、容器本体２０は、括れ部３２を形成し、括れ部３２には、蓋体５０のシールパッキン５３が当接するフランジ４５を形成している。当該フランジ４５は、後方側の突出量を大きくしており、フランジ４５の後方側に蒸気検知手段７４を配置するスペースを確保している。従って、括れ部３２に取っ手２２の付け根２４を配置したときに、取っ手２２の突出量を抑えることができる。また、括れ部３２の上部は、上縁拡径部３３として外側に広がった形態としている。
【００４８】
従って、容器本体２０を転倒させてしまったときに、容器本体２０は、図１８及び図１９に示すように、膨出部３１、取っ手２２及び上縁拡径部３３の先端の丸印部Ｓ１〜Ｓ３の３点が床面に当接する。この転倒状態では、満水位であったとしても、容器本体２０の上縁が上縁拡径部３３により拡大しているから、容器本体２０の上端は高く位置し、満水位の高さは図１８及び図１９の線Ｔで示す蓋体５０の略中央程度の高さとなる。一方、注ぎ口２１は線Ｔよりも中央よりも高い位置となるから、注ぎ口２１から水や湯が零れることはない。さらに、フランジ４５は後方側の突出量を大きくしているが、転倒状態では突出量の大きい後方側のフランジ４５が下方に位置するから、内容器４０の水や湯は、フランジ４５を乗り越え難い。従って、フランジ４５やシールパッキン５３を超えて水や湯が零れることも防止され、転倒流水性能が改善される。
【００４９】
上記のように、本発明の電気ケトル１０によれば、容器本体２０は、万一転倒させてしまっても、水や湯が零れ出ることを可及的に防止することができ、転倒流水性能の改善にきわめて有用である。
【００５０】
なお、フランジ４５の後方にスペースを確保して蒸気検知手段７４を配置できたことで、取っ手２２の付け根２４を括れ部３２に形成できたことで、取っ手２２のスリム化を図ることができ、取っ手２２、さらには電気ケトル１０のデザインや設計自由度を可及的に高めることができる。
【００５１】
また、取っ手２２の付け根２４は、括れ部３２に形成することにより、容器本体２０の重心に近づけることができるから、持ち運びの際の安定性にもすぐれる。
【００５２】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【符号の説明】
【００５３】
１０  電気ケトル
２０  容器本体
２２  取っ手
２４  付け根（取っ手）
３０  外装カバー
３１  膨出部
３２  括れ部
３３  上縁拡径部
４０  内容器
５０  蓋体
【図１】
2020192087.tif 000003
【図２】
2020192087.tif 000004
【図３】
2020192087.tif 000005
【図４】
2020192087.tif 000006
【図５】
2020192087.tif 000007
【図６】
2020192087.tif 000008
【図７】
2020192087.tif 000009
【図８】
2020192087.tif 000010
【図９】
2020192087.tif 000011
【図１０】
2020192087.tif 000012
【図１１】
2020192087.tif 000013
【図１２】
2020192087.tif 000014
【図１３】
2020192087.tif 000015
【図１４】
2020192087.tif 000016
【図１５】
2020192087.tif 000017
【図１６】
2020192087.tif 000018
【図１７】
2020192087.tif 000019
【図１８】
2020192087.tif 000020
【図１９】
2020192087.tif 000021